(57)【要約】【課題】ドライバービットを提供する。【解決手段】  本発明のドライバービットは、駆動端及び組み立て端を有し、該組み立て端の両側に主面部位を設け、且つ主面部位間にそれぞれ保持部を形成し、該保持部を受けツールの六角孔の２つの対応面に接触保持し、本発明の構造の効果を達成する。【選択図】図１１
2016221612.tif 000002
【特許請求の範囲】
【請求項１】
駆動端及び組み立て端を有し、
該駆動端は、螺子を回転させることに用い、該組み立て端は、六角孔を有する接続スリーブ内に挿入することに用い、
該組み立て端は、第１主面及び第２主面を有し、該第１主面及び該第２主面の二端には、第１保持部及び第２保持部を設け、
該第１保持部は、所定角度を有して傾斜を呈し、交わり合う第１斜面及び第２斜面から構成され、
該第２保持部は、所定角度を有して傾斜を呈し、交わり合う第３斜面及び第４斜面から構成され、
該第１斜面、該第２斜面、該第３斜面、該第４斜面の幅は、該接続スリーブの六角孔の何れか１つの辺面の３分の２以下であるドライバービット。
【請求項２】
該第１保持部及び該第２保持部が該接続スリーブの六角孔の対応する何れか２つの内角と接触保持する請求項１に記載のドライバービット。
【請求項３】
駆動端及び組み立て端を有し、該駆動端は、螺子を回転させることに用い、該組み立て端は、六角孔を有する接続スリーブ内に挿入することに用い、
該組み立て端は、第１主面及び第２主面を有し、該第１主面及び該第２主面の二端に第１保持部及び第２保持部を設け、
該第１保持部、該第２保持部は、平面状に設けられ、且つその幅は、該接続スリーブの六角孔の何れか１つの辺面の幅以下であるドライバービット。
【請求項４】
該第１保持部、該第２保持部が該接続スリーブの六角孔の対応する何れか２つの辺面と接触保持する請求項３に記載のドライバービット。
【請求項５】
該第１保持部の二側に所定角度の傾斜を呈する第３平面及び第４平面を更に設け、
該第２保持部の二側に所定角度の傾斜を呈する第５平面及び第６平面を更に設け、
そのうち、該第３平面、該第４平面及び該第５平面、該第６平面の幅は、何れも該接続スリーブの六角孔の何れか１つの辺面の２分の１以下である請求項３に記載のドライバービット。
【請求項６】
該第１保持部、該第２保持部が該接続スリーブの六角孔を構成する対応する何れか２つの辺面と接触し、
該第３平面、該第４平面は、該第１保持部の辺面と隣り合うその他の２つ辺面と接触し、
該第５平面、該第６平面は、該第２保持部が接触する辺面に隣り合うその他の２つの辺面と接触する請求項５に記載のドライバービット。
【発明の詳細な説明】
【技術分野】
【０００１】
本発明は、ドライバービットに関し、特に、体積を減少し、空間を節減し携帯に便利である効果を有することができるドライバービットに関する。
【背景技術】
【０００２】
従来のドライバービットは、図１及び図２に示すようであり、それは、主にドライバービット本体１であり、該ドライバービット本体１は、駆動端１０１及び組み立て端１０２を有し、頸部１０３を有し、駆動端１０１及び組み立て端１０２の間に延伸成型し、そのうち、該駆動端１０１は、螺子ツール２を回転させることに用い、それが組み合わせる螺子ツール２は、異なる大きさの規格であることができ、且つ螺子ツール２の頭部２０１のスロット２０２は、−字、＋字、米字、梅の花及び六角等の異なる形状の種類を有し、その組み立て端１０２は、一般の手動操作のツールハンドルの接続スリーブ３（いわゆる受けツールであり、本願の接続スリーブを例として説明する）内に挿入設置させて組み込んだ後、ドライバービット本体１の駆動端１０１を駆動させ、ロックの効果を達成させる（当然ながら、電動操作のツールハンドルのスロット内に挿入設置して組み込むこともでき、何れも従来のドライバービットの関連応用及び技術構造であり、従って、以下、従来技術又は本発明では、更に説明しない）。
【０００３】
図２に示すように、以上の従来のドライバービット本体１は、何れもその組み立て端１０２を利用してツールハンドルの接続スリーブ３内に挿入設置して組み込むか、接続スリーブ３は、等しい対辺距離を有する六角孔３０１（おおむね６．３５ｍｍの寸法である）であるので、従来のドライバービット本体１は、その駆動端１０１の規格の大きさ又は種類が何であるかに関わらず、該ドライバービット本体１の組み立て端１０２は、接続スリーブ３（即ち、受けツール）の「既定」の六角孔３０１の形状及び寸法に合わせる必要があり、関連する問題及び欠陥を発生させ、以下の問題を回避することができない。
１：ドライバービット本体１の組み立て端１０２は、「完全に」接続スリーブ３の六角孔３０１の形状及び寸法に合わせて動かされなければならず、駆動端１０１の規格、寸法種類が更に小さいか、頸部１０３がどれだけ寸法を減縮しているかに関わらず、組み立て端１０２は、依然として完全な六角柱の実体構造であり、セット式販売の包装時、ドライバービット本体１の組み立て端１０２の所要保存空間に合わせて設計され、ドライバービットのセットが累積する重量体積を増加させるだけでなく、同時に包装において相当多くの材料及びコストを消費し、特に、個人が携帯して外出する場合に過度に多くの重量空間をもつことができないことを考慮の下、実際の状況で多くの不便をもたらす。
２：同様に、如何なる派生的設計をしても最終的に現在の接続スリーブ３のドライバービット本体１の組み立て端１０２の規格に合わせて、実務上の使用及び機能の強化、多様性の追求をしなければならない。
３：図３及び図４に示すように、上記の欠陥を解決する為、ドライバービット本体１の軸心部位に掘削空間１０４を形成し、ドライバービット本体１の重量を節減しているが、この種の構造は、実験を経て外へ加わるトルクを受けて駆動できることが証明されており、ドライバービット本体１の重量に対して、減量を行い、それが占める体積は、依然として変わらず、更に、この種の掘削空間１０４の加工時の難度及びコストについては述べるまでもなく、従って、損失的な構造であるということができる。
【０００４】
また、ドライバービット本体１を使用上更に多様化、便利化し、その実用性を増加する為、関連するツールケース４，５は、発展した構造であり（図５及び図６参照）、該ツールケース４，５は、何れも別途設ける収容空間４０１，５０１を利用して異なるより多くのドライバービット本体１を収容するものであり、それは、多様性及び利便性を向上させているが、依然として従来の束縛から離脱できず、以下のような欠陥を招く：
１：図５に示される単一収容空間４０１であるか、図６、図７に示される複数のドライバービット本体１の収容空間５０１であるかに関わらず、それは、依然として保存数量が大きいほど、累積する体積が大きくなり、重く大きくなることを回避できず、往々にして使用者がより多くのドライバービット本体１を有するより大きなツールケースを携帯しなければならなくなり、特に、携帯して外出するか、各種位置へしばしば移動して使用する必要がある作業場所環境を考慮の下、基本的に単一のドライバービット本体１の体積が変わらず、重量が変わらない場合、その問題も変わらない。
２：また、図８に示すドライバービット本体１を収容するハンドツール６において、ハンドツール６の内部空間６０１に収容部位６０２を成型し、ドライバービット本体１を収容させ、携帯取り出しに便利にしているが、同様に保存するドライバービット全体が占める体積が、ハンドル全体に重量体積を累積する問題を改善することができず、使用者がハンドツール６を携帯するのに有効に重量及び体積の減量を達成することができず、欠陥の改善を得られない。
【０００５】
その後、多くの考案者は、多様な派生的変化及び脚色へ向けて製品開発を行っており、更に、図９及び図１０のようなドライバービット本体７，８を開発しており、それは、主にその上にそれぞれ識別部位７０１，８０１を形成し、この種の方式は、ある程度市場の購買意欲を刺激する吸引力があり、外観の表現を加えることによって製品の販売に差異を生み出しているが、以下の欠陥がある：
１：依然として従来のドライバービット本体７，８の重量、体積の問題を解決することができず、従って、従来のドライバービット本体７，８が発生する重量、体積が大きいという欠陥が存在する。
２：識別部位７０１，８０１を追加しているが、色帯成型、カラー電着、プラスチックカラーリングでコーティングするか、多色の収縮膜成形を利用し、それは、相当なコストを増加することになるので、実際の市場での推進及び開拓は、依然として限りがあり、決定的な影響を及ぼすことができない。
３：また、図９のドライバービット本体７は、この識別部位７０１を成型する必要があり、環凹部を残す必要があり（図示せず）、従って、加工の難易度を増加させる。
４：図９又は図１０のドライバービット本体７，８は、何れも狭小な平面（六角面の一面）に識別部位７０１，８０１を成型しなければならず、何れも加工難易度を増加させるだけでなく、実際のドライバービット本体の問題を解決することもできない。
【０００６】
そこで、本発明者は、上記の欠陥に基づき、積極的に開発に努力し、改良を研究し、ドライバービットの体積及び重量を減縮することができ、保存の空間を節減し、携帯に便利である効果を備える新しい構造の「ドライバービット」を開発している。
【先行技術文献】
【特許文献】
【０００７】
【特許文献１】特開２００４−８１７８６号公報
【発明の概要】
【発明が解決しようとする課題】
【０００８】
本発明は、ドライバービットの全体の体積及び重量を有効に減縮し、保存空間を節減し、携帯に便利な効果を提供することができるドライバービットを提供する。
【課題を解決するための手段】
【０００９】
上記の目的及び効果を達成する為、本発明のドライバービットは、駆動端及び組み立て端を有し、該駆動端は、螺子を回転させることに用い、該組み立て端は、六角孔を有する接続スリーブ内に挿入することに用い、該組み立て端は、第１主面及び第２主面を有し、第１主面及び第２主面の二端は、第１保持部及び第２保持部を設け、第１保持部は、所定角度を有して傾斜を呈し、交わり合う第１斜面及び第２斜面から構成され、第２保持部は、所定角度を有して傾斜を呈し、交わり合う第３斜面及び第４斜面から構成され、第１斜面、第２斜面、第３斜面、第４斜面の幅は、接続スリーブの六角孔の何れか１つの辺面の３分の２以下である。
【００１０】
該ドライバービットは、そのうち、第１保持部、第２保持部がそれぞれスリーブの六角孔の対応する何れか２つの内角と接触保持する。
【００１１】
該ドライバービットは、駆動端及び組み立て端を有し、該駆動端は、螺子を回転させることに用い、該組み立て端は、六角孔を有する接続スリーブ内に挿入することに用い、該組み立て端は、第１主面及び第２主面を有し、該第１主面及び第２主面の二端に第１保持部及び第２保持部を設け、第１保持部、第２保持部は、平面状に設けられ、且つその幅は、スリーブの六角孔の何れか１つの辺面の幅以下である。
【００１２】
該ドライバービットは、そのうち、第１保持部、第２保持部が接続スリーブの六角孔の対応する何れか２つの辺面と接触保持する。
【００１３】
該ドライバービットは、そのうち、該第１保持部の二側に所定角度の傾斜を呈する第３平面及び第４平面を更に設け、該第２保持部の二側に所定角度の傾斜を呈する第５平面及び第６平面を更に設け、そのうち、該第３平面、該第４平面及び該第５平面、該第６平面の幅は、何れも接続スリーブの六角孔の何れか１つの辺面の２分の１以下である。
【００１４】
該ドライバービットは、そのうち、該第１保持部、第２保持部が接続スリーブの六角孔の対応する何れか２つの辺面と接触し、該第３平面、第４平面は、該第１保持部の辺面と隣り合うその他の２つ辺面と接触し、該第５平面、第６平面は、該第２保持部が接触する辺面に隣り合うその他の２つの辺面と接触する。
【発明の効果】
【００１５】
本発明のドライバービット２０は、以下の特長を有する：
（１）本発明のドライバービット２０の組み立て端２２は、依然としてその第１、第２保持部２５，２６を利用して接続スリーブ３の六角孔３０１の対応面３０１ａ，３０１ｂ及び３０１ｄ，３０１ｅ上に係合することができ、即ち、従来の六角孔３０１を同様に組み合わせることができ、既存の従来の受けツール−接続スリーブ３を変更する必要がない。
（２）本発明のドライバービット２０の組み立て端２２は、従来のドライバービット本体１の六角柱状を呈する組み立て端１０２に相対し、本発明のドライバービット２０は、３分の１の体積及び重量を減縮し、重量を軽減し、携帯し易く、利便性及び実用性を有する。
（３）本発明のドライバービット２０は、軸心部位に掘削空間を成型する必要がなく、中空の構図尾を形成し、従って構造上相対的に安定する。
（４）本発明のドライバービット２０は、その他の従来のツールケースに安置する時、使用の体積を減少することができないが、相当大きな重量を減少させることができる。
（５）図１７に示すように、後のツールケースが本発明のドライバービット２０の組み立て端２２に相対する対応形状に変わる時、同一数量のドライバービット２０を安置する時、収容空間を節減し、軽快で携帯に便利な効果を達成する。
【図面の簡単な説明】
【００１６】
【図１】従来のドライバービット本体の構造説明図である。
【図２】従来のドライバービット及び接続スリーブの組み立ての構造説明図である。
【図３】もう1種の従来のドライバービット本体の構造説明図である。
【図４】従来のドライバービット本体の断面構造説明図である。
【図５】従来のドライバービット本体を入れる工具収容部の構造説明図である。
【図６】従来のドライバービット本体を入れるもう1種の工具収容部の構造説明図である。
【図７】図６の工具収容部の実施例の断面の構造説明図である。
【図８】従来のドライバービット本体を入れるもう1種の工具収容部の構造説明図である。
【図９】従来のドライバービット本体の識別機能を有する構造説明図である。
【図１０】従来のドライバービット本体のもう１種の識別機能を有する構造説明図である。
【図１１】本発明の第１好適実施例のドライバービットの立体外観説明図である。
【図１２】本発明の第１好適実施例のドライバービットを接続スリーブに挿入し、組み込んだ説明図である。
【図１３】本発明の第２好適実施例のドライバービットの立体外観説明図である。
【図１４】本発明の第２好適実施例のドライバービットを接続スリーブに挿入し、組み込んだ説明図である。
【図１５】本発明の第３好適実施例のドライバービットの立体外観説明図である。
【図１６】本発明の第３好適実施例のドライバービットを接続スリーブに挿入し、組み込んだ説明図である。
【図１７】本発明のドライバービットの収納取り出しに必要な空間及び従来のドライバービットの収納取り出しが占める空間の比較説明図である。
【発明を実施するための形態】
【００１７】
本発明のドライバービット２０は、駆動端２１及び組み立て端２２を有し、図１１及び図１２を参照し、該駆動端２１は、螺子（図示せず）を回転させる時に使用し、螺子の大きさに合わせて各種寸法規格を有することができ、螺子頭部の溝に応じて−字、＋字、米字及び六角等の異なる形状を有することができ、該組み立て端２２は、接続スリーブ３の六角孔３０１内に挿入させ、ツールハンドルの施力を受けて連動する時、駆動端２１により螺子を回転させる動作を行い、接続スリーブ３の六角孔３０１に６つの辺面３０１ａ〜ｆを有し、この部分の構造及び動作原理は、周知技術に属し、且つ本発明の主な特徴及び技術内容ではないので、ここでは詳細を記載しない。
【００１８】
本発明の設計の要点は、以下にある：該組み立て端２２扁平状を呈し、所定長さを有する第１主面２３、第２主面２４を主とし、該第１主面２３及び該第２主面２４の二端は、第１保持部２５及び第２保持部２６を設け、該第１、第２保持部２５，２６は、傾斜を呈して交わり合う第１、第２斜面２５１、２５２及び第３斜面２６１、２６２から構成され、該第１、第２、第３及び第４斜面２５１，２５２，２６１，２６２の幅は、接続スリーブ３の六角孔３０１の何れか１つの辺面３０１ａ〜ｆの３分の２以下である。
【００１９】
上記の本発明のドライバービット２０に基づき、組み立て端２２を、扁平状を呈して第１、第２保持部２５，２６の構造に設け、組み立て端２２を接続スリーブ３の六角孔３０１に挿入する時、第１、第２保持部２５，２６は、六角孔３０１と対応する任意の２つの内角と係止することができ、即ち、該第１保持部２５の傾斜を呈して交わり合う第１、第２斜面２５１，２５２は、それぞれ六角孔３０１の辺面３０１ａ、３０１ｂと突き合わせ接触し、該第２保持部２６は、傾斜を呈して交わり合う第３、第４斜面２６１，２６２及び六角孔３０１の辺面３０１ｄ，３０１ｅと突き合わせ接触する。
【００２０】
本発明のドライバービット２０は、以下の特長を有する：
（１）本発明のドライバービット２０の組み立て端２２は、依然としてその第１、第２保持部２５，２６を利用して接続スリーブ３の六角孔３０１の対応面３０１ａ，３０１ｂ及び３０１ｄ，３０１ｅ上に係合することができ、即ち、従来の六角孔３０１を同様に組み合わせることができ、既存の従来の受けツール−接続スリーブ３を変更する必要がない。
（２）本発明のドライバービット２０の組み立て端２２は、従来のドライバービット本体１の六角柱状を呈する組み立て端１０２に相対し、本発明のドライバービット２０は、３分の１の体積及び重量を減縮し、重量を軽減し、携帯し易く、利便性及び実用性を有する。
（３）本発明のドライバービット２０は、軸心部位に掘削空間を成型する必要がなく、中空の構図尾を形成し、従って構造上相対的に安定する。
（４）本発明のドライバービット２０は、その他の従来のツールケースに安置する時、使用の体積を減少することができないが、相当大きな重量を減少させることができる。
（５）図１７に示すように、後のツールケースが本発明のドライバービット２０の組み立て端２２に相対する対応形状に変わる時、同一数量のドライバービット２０を安置する時、収容空間を節減し、軽快で携帯に便利な効果を達成する。
【００２１】
図１３及び図１４を参照し、それは、本発明のドライバービット３０の第２好適実施例であり、本発明のドライバービット３０は、駆動端３１及び組み立て端３２を有し、該駆動端３１は、螺子を回転させる時に使用し、該組み立て端３２は扁平状を呈して第１主面３３、第２主面３４を有し、該第１及び第２主面３３，３４の二端に第１保持部３５及び第２保持部３６を設け、該第１及び第２保持部３５，３６は、平面状を呈し、且つその幅は、接続スリーブ３の六角孔３０１の何れか１つの辺面３０１ａ〜ｆの幅以下である。
【００２２】
使用時、組み立て端３２を接続スリーブ３の六角孔３０１内に挿入し、第１、第２保持部３５，３６は、六角孔３０１の対応する２つの辺面３０１ｃ、３０１ｆと緊密に接触し、接続スリーブ３がツールハンドルの施力を受ける時、本発明のドライバービット３０の駆動端３１を伝動し、螺子を回転する動作を行うことができ、本発明のドライバービット３０が扁平状を呈する組み立て端３２を設けることによって、体積及び重量を減少することができ、ドライバービット３０のツールケースに体積及び重量を減少させ、軽快で携帯し易い効果を提供する。
【００２３】
図１５及び図１６を参照し、それは、本発明のドライバービット４０の第３好適実施例であり、本発明のドライバービット４０は、駆動端４１及び組み立て端４２を有し、該組み立て端４２は、扁平状を呈して第１主面４３、第２主面４４を有し、該第１及び第２主面４３，４４の二端に第１保持部４５及び第２保持部４６を設け、該第１及び第２保持部４５，４６は平面状を呈し、且つ幅がスリーブ３の六角孔３０１の何れか１つの辺面３０１ａ〜ｆの幅に等しく、更に、該第１保持部４５の二側は、所定角度の傾斜を呈する第３平面４７及び第４平面４８を更に設け、該第２保持部の二側は、所定角度の第５平面４９及び第６平面５０を更に設け、そのうち、該第３、第４、第５及び第６平面４７，４８，４９，５０の幅は、接続スリーブ３の六角孔３０１の何れか１つの辺面３０１ａ〜ｆの２分の１以下である。
【００２４】
使用時、組み立て端４２を接続スリーブ３の六角孔３０１内に挿入し、第１、第２保持部４５，４６は、六角孔３０１の対応する２つの辺面３０１ｃ、３０１ｆと緊密に接触し、該第３、第４平面４７，４８は、該第１保持部４５が接触する辺面３０１ｃの隣り合うその他の２つの辺面３０１ｄ，３０１ｂと接触し、該第５、第６平面４９，５０は、該第２保持部４６が接触する辺面３０１ｆの隣り合うその他の辺面３０１ｅ，３０１ａと接触して保持され、接続スリーブ３がツールハンドルの施力を受ける時、本発明のドライバービット４０の駆動端４１を伝動し、螺子を回転する動作を行うことができ、本発明のドライバービット４０が扁平状を呈する組み立て端４２を設けることによって、体積及び重量を減少することができ、ドライバービット４０のツールケースに体積及び重量を減少させ、更に携帯に便利である。
【００２５】
上述の説明は、本発明の技術特徴を示す好適な実施形態を説明したものである。当業者は、本発明の主旨を逸脱しない範囲において変更および修飾を行うことができ、これらの変更および修飾は、本発明の特許請求の範囲に含まれる。
【符号の説明】
【００２６】
＜従来技術＞
１  ドライバービット本体
１０１  駆動端
１０２  組み立て端
１０３  頸部
１０４  掘削空間
２  螺子ツール
２０１  頭部
２０２  スロット
３  接続スリーブ
３０１  六角孔
３０１ａ，３０１ｂ，３０１ｃ，３０１ｄ，３０１ｅ，３０１ｆ  辺面
４，５  ツールケース
４０１，５０１  収容空間
６  ハンドツール
６０１  内部空間
６０２  収容部位
７，８  ドライバービット本体
７０１，８０１  識別部位
＜本発明＞
２０  ドライバービット
２１  駆動端
２２  組み立て端
２３  第１主面
２４  第２主面
２５  第１保持部
２５１  第１斜面
２５２  第２斜面
２６  第２保持部
２６１  第３斜面
２６２  第４斜面
３０  ドライバービット
３１  駆動端
３２  組み立て端
３３  第１主面
３４  第２主面
３５  第１保持部
３６  第２保持部
４０  ドライバービット
４１  駆動端
４２  組み立て端
４３  第１主面
４４  第２主面
４５  第１保持部
４６  第２保持部
４７  第３平面
４８  第４平面
４９  第５平面
５０  第６平面
【図１】
2016221612.tif 000003
【図２】
2016221612.tif 000004
【図３】
2016221612.tif 000005
【図４】
2016221612.tif 000006
【図５】
2016221612.tif 000007
【図６】
2016221612.tif 000008
【図７】
2016221612.tif 000009
【図８】
2016221612.tif 000010
【図９】
2016221612.tif 000011
【図１０】
2016221612.tif 000012
【図１１】
2016221612.tif 000013
【図１２】
2016221612.tif 000014
【図１３】
2016221612.tif 000015
【図１４】
2016221612.tif 000016
【図１５】
2016221612.tif 000017
【図１６】
2016221612.tif 000018
【図１７】
2016221612.tif 000019